(57)【要約】【課題】カメラマンを地域別に管理し、被写体（建物、風景、各種イベント等）に場所が近く、スケジュールが空いているカメラマンを指定して派遣し、撮影を行って迅速に被写体の探索を行ない得るとともに納期を短縮化し、コストを削減し得る画像提供システムを提供する。【解決手段】画像が必要なユーザ（クライアント）と提携して、クライアントが必要とする画像を撮影するために、全国規模の登録カメラマンによる撮影代行サービスを行う。ユーザは画像が必要な被写体（建物、土地、人物、風景等）の場所・住所と納期とを伝え、画像提供システムはそれにより撮影する場所に一番近く、なおかつスケジュールの空いているカメラマンに発注し、条件を伝える。撮影したカメラマンはデータを画像提供システムにインターネットを介して送り、画像提供システムはそれぞれの画像データは画像処理してウエブサーバにアップロードし、クライアントはサーバからダウンロードして、所望の画像を受け取る。【選択図】図１
2006344078.tif 000002
【特許請求の範囲】
【請求項１】
パーソナルコンピュータによりユーザ情報管理、撮影代行人情報管理およびデータ保管が行われるデータベースを有する各種電子画像提供システム本体と、
撮影代行人登録業務、画像処理業務および撮影代行サービス業務が実行されるシステム本体のホームページを有し、ファイル転送プロトコルに従ってユーザ情報を配信する、インターネットのウエブ上に開設されたウエブサーバとを備え、
登録撮影代行人を地域別にリスティングし、管理してデータベースを作成し、ユーザからの依頼により画像を必要とする被写体の場所に最も近い現地登録撮影代行人を選出し、指定して撮影を依頼し、依頼された撮影代行人は被写体の電子画像を撮影しインターネットを介してシステム本体に送り、システム本体は送られてきた電子画像データにフォーマット処理を施し、必要に応じ暗号化して、前記ウエブサーバにアップロードすると共にユーザに連絡し、ユーザは前記ウエブサーバからのダウンロードにより被写体の所望の画像を得るようにした
ことを特徴とする各種画像提供システム。
【請求項２】
前記被写体は建物、土地、人物、風景、各種イベント等とする
ことを特徴とする請求項１に記載の各種画像提供システム。
【請求項３】
前記ユーザは出版社、テレビ・映画の製作会社、保険業者、銀行、弁護士、老人介護者、幼児および未成年保護者、父兄親戚縁者、建設業者、ネット販売業者、中古車売買業者とする
ことを特徴とする請求項１に記載の各種画像提供システム。
【請求項４】
前記代行人はカメラマンおよびイラストレータとする
ことを特徴とする請求項１に記載の各種画像提供システム。
【請求項５】
請求項１に記載の代行人の情報管理部は、電話やインターネットを介しての代行人の入会および登録を行い、代行人の教育を行い、代行人のネットワークを構築する
ことを特徴とする代行人情報管理システム。
【請求項６】
パーソナルコンピュータによりユーザ情報管理、撮影代行人情報管理およびデータ保管が行われるデータベースを有する各種電子画像提供システム本体と、
撮影代行人登録業務、画像処理業務および撮影代行サービス業務が実行されるシステム本体のホームページを有し、ファイル転送プロトコルに従ってユーザ情報を配信する、インターネットのウエブ上に開設されたウエブサーバとを備え、
登録撮影代行人を地域別にリスティングし、管理してデータベースを作成し、社会的な事件や事象が発生した場合に、登録撮影代行人が独自に判断してこれら事件や事象を撮影し、各種画像提供システム本体にその画像データを送り、該システム本体は送られてきた画像を各マスコミ媒体に紹介し、採用された場合の金額交渉を各マスコミ媒体に対して行ない、カメラマンの仲介をも行うようにした
ことを特徴とする各種画像提供システム。
【請求項７】
前記社会的な事件や事象は、各種事故現場、災害風景や様々なトピックスとする
ことを特徴とする特徴とする請求項６に記載の各種電子画像提供システム。
【請求項８】
前記各マスコミは新聞社、雑誌、テレビ、インターネット媒体とする
ことを特徴とする請求項６に記載の各種電子画像提供システム。
【発明の詳細な説明】
【技術分野】
【０００１】
本発明はユーザが必要とする被写体の画像を代行して撮影し、ユーザに提供する各種電子画像提供システムに関するものである。
【背景技術】
【０００２】
この種の電子画像提供システムは従来開発されていない。また、物件に直接出向かなくてもすむようにした不動産情報処理システムおよび不動産情報提供装置としては特開２００２−４１６２４号公報およびは特開２０００−２５９６６８号公報に開示されているものがある。更に、通信ネットワークを介して行う売買または賃貸対象の不動産情報の提供および検索システムとしては特開２００１−３０６６６７号公報に開示されているものがある。しかし、これら特許公開公報に記載のものは不動産業者が自分で物件の静止画像または動画像を撮影し不動産情報として掲載している。従って、物件の現場を探索するのに手間がかかり、時間を浪費するとともに交通費等の経費が嵩むようになる欠点がある。
【特許文献１】特開２００２−４１６２４号公報
【特許文献２】特開２０００−２５９６６８号公報
【特許文献３】特開２００１−３０６６６７号公報
【発明の開示】
【発明が解決しようとする課題】
【０００３】
本発明の目的は撮影代行人（カメラマンとも称する）を地域別に管理し、被写体（建物、風景、各種イベント等）に場所が近く、スケジュールが空いている撮影代行人を派遣し、撮影を行って迅速に被写体の探索を行ない得るとともに納期を短縮化し、コストを削減し得る画像提供システムを提供せんとするものである。
【課題を解決するための手段】
【０００４】
本発明各種電子画像提供システムは、パーソナルコンピュータによりユーザ情報管理、撮影代行人情報管理およびデータ保管が行われるデータベースを有する各種電子画像提供システム本体と、撮影代行人登録業務、画像処理業務および撮影代行サービス業務が実行されるシステム本体のホームページを有し、ファイル転送プロトコルに従ってユーザ情報を配信する、インターネットのウエブ上に開設されたウエブサーバとを備え、登録撮影代行人を地域別にリスティングし、管理してデータベースを作成し、ユーザからの依頼により画像を必要とする被写体の場所に最も近い現地登録代行人を選出して撮影を依頼し、依頼された撮影代行人は被写体の電子画像を撮影しインターネットを介してシステム本体に送り、システム本体は送られてきた電子画像データにフォーマット処理を施し、必要に応じ暗号化して、前記ウエブサーバにアップロードすると共にユーザに連絡し、ユーザが前記ウエブサーバからのダウンロードにより被写体の所望の画像を得るようにしたことを特徴とする。
【０００５】
前記被写体は建物、土地、人物、風景、各種イベント等とする。
【０００６】
前記ユーザは出版社、テレビ・映画の製作会社、保険業者、銀行、弁護士、老人介護者、幼児および未成年保護者、父兄親戚縁者、建設業者、ネット販売業者、中古車売買業者とする。
【０００７】
前記代行人はカメラマンおよびイラストレータとする。
【０００８】
請求項１に記載の撮影代行人の情報管理部は、電話やインターネットを介しての代行人の入会および登録を行い、代行人の教育を行い、代行人のネットワークを構築する。
【０００９】
パーソナルコンピュータによりユーザ情報管理、撮影代行人情報管理およびデータ保管が行われるデータベースを有する各種電子画像提供システム本体と、撮影代行人登録業務、画像処理業務および撮影代行サービス業務が実行されるシステム本体のホームページを有し、ファイル転送プロトコルに従ってユーザ情報を配信する、インターネットのウエブ上に開設されたウエブサーバとを備え、登録撮影代行人を地域別にリスティングし、管理してデータベースを作成し、社会的な事件や事象が発生した場合に、登録撮影代行人が独自に判断してこれら事件や事象を撮影し、各種画像提供システム本体にその画像データを送り、該システム本体は送られてきた画像を各マスコミ媒体に紹介し、採用された場合の金額交渉を各マスコミ媒体に対して行ない、カメラマンの仲介をも行うようにする。
【００１０】
前記社会的な事件や事象は、各種事故現場、災害風景や様々なトピックスとする。
【００１１】
前記各マスコミは新聞社、雑誌、テレビ、インターネット媒体とする。
【発明の効果】
【００１２】
本発明によれば、撮影する物件に基本的に一番近い撮影代行人に依頼することにより、納期の短縮化と交通費等の経費を削減し、被写体探索の手間を省くことができる。
【発明を実施するための最良の形態】
【００１３】
電子画像提供システム２は、図１に示すように、例えば、画像が必要なユーザ（クライアントの代理店、またはクライアントとも称する）１と提携して、ユーザが必要とする画像を撮影するために、全国規模で登録された撮影代行人（以下、カメラマンとも称する）３による撮影代行サービスを行う。ユーザ１は画像が必要な被写体（例えば、建物、土地、人物、風景、各種イベント等）６の場所、または住所と納期とを電子画像提供システム２に伝える。
【００１４】
画像提供システム本体２は依頼により撮影する被写体６の場所に一番近く、なおかつスケジュールの空いているカメラマン３に発注し、条件を伝える。依頼されたカメラマン３は撮影した電子画像のデータ４を電子画像提供システム２にインターネットを介して送り、画像提供システム２は受け取ったそれぞれの画像データ４にフォーマット処理を施してウエブサーバ５にアップロードするとともにユーザ１に連絡し、ユーザ１はウエブサーバ５からダウンロードして、所望の画像を受け取る。
【００１５】
各地域毎のカメラマン管理システム：
登録カメラマンを全国的に居住地域の各市町村別に番号を付してファイリングし、会員番号No.に反映させる。
即ち、都、道、府、県に１から５０までの数字を割当て、区、市、郡にアルファベットのA乃至Zを割当て、町、村に１からの数字を割当ててリストを作成し、容易に検索し得るようにする。
【００１６】
仮令えば、住所が「都・府」の例：
カメラマンの住所が「東京都台東区上野１−１７−４」の場合
｛東京都（１）＿台東区（A）＿上野（１）｝      
会員No.１−A−１−０１…（n）となる。
｛東京都（１）＿千代田区（B）＿一番町（１）｝  
会員No.１−B−１−０１…（n）となる。
｛東京都（１）＿八王子市（Bc）＿八幡町（１）｝  
会員No.１−Bｃ−１−０１…（n）となる。
この際、アルファベット26文字を超える地域は例外として、図２に示すように、ｃ＝シティ、ｔ＝タウン、ｖ＝ヴィレッジを追加する。
【００１７】
住所が「県」の例：
カメラマンの住所が「神奈川横浜市西区１−１−１」の場合
｛神奈川県（２）＿横浜市（A）＿西区（１）｝    
会員No.２−A−１−０１…（n）となる。
｛神奈川県（２）＿横浜市（A）＿中区（２）｝    
会員No.２−A−２−０１…（n）となる。
【００１８】
住所が「道・郡」の例：
カメラマンの住所が「北海道虻田郡虻田町１−１」の場合
｛北海道（４０）＿虻田郡（A）＿虻田町（１）｝    
会員No.４０−A−１−０１…（n）となる。
｛北海道（４０）＿虻田郡（A）＿豊浦町（２）｝    
会員No.４０−A−２−０１…（n）となる。
上述したようにカメラマンの住所を地域別にリスト化して管理し、データベース化することにより、依頼された場所を同じようにファイリングすれば、被写体の場所の近くに住む撮影代行人を容易に検索することができ、運用がスムーズになる。
【００１９】
登録カメラマンの教育：
画像提供システムが募集カメラマンを撮影カメラマンとして登録する前に、サンプル画面の確認、面接およびカメラマンとしての教育を基本的に各都道府県毎に行う。
サンプル画面の確認と登録条件の提示：
以下、一例として、以下の条件が挙げられる。
１．登録料として５００円が振込可能なこと。
２．２００万画素以上のデジタルカメラで撮影できること。
３．平日の日中に撮影ができること。
４．電子メールでの画像の転送ができること。
５．技量確認のため、登録前にサンプル写真（自宅外観や室内に限らず建造物の外観・内観）を電子メールで送れること。その時、ファイル名を明確にする。例として、自宅のリビング.jpg
上記のような条件を提示し、容認した代行人のみ、画像提供システムの説明会に参加してもらう。
【００２０】
教育・説明内容：
カメラマンの教育としては以下の項目が挙げられる。
１．マナー：現地ユーザ側担当者がいる場合の接し方、仕事の流れを説明する。
２．正しい撮影の仕方：画像の明暗、ピント、アングル等を徹底させる。
３．写真の送り方：インターネットを経由しての画像の送り方を統一させる。
４．登録と退会：インターネットを経由しての「登録と退会」の仕方と条件を提示する。
５．撮影料金：基本料金と特急料金、最低保証金額について説明する。
上記の教育と説明、面接をクリアして、初めて最終的な登録を行う。
【実施例１】
【００２１】
以下、図３および図４を参照して、本発明画像提供システムの実施例を説明する。画像提供システム本体２は、ユーザ（クライアント）１およびカメラマン３の情報管理および受付窓口業務を行う経理部２１と、撮影依頼、新規ユーザ開拓および営業並びにカメラマン教育を行う宣伝企画営業部２２と、写真の加工、管理、消去および写真のダウンロード、アップロードを行うシステム管理部２３とで構成され、ユーザ管理、カメラマン管理、およびデータ保管を実行するデータベースを備える。画像提供システムのウエブサーバ５は画像提供システムのホームページ５１とユーザ専用ホームページ５２と、ユーザログインページ５６とで構成する。
【００２２】
先ず最初、図３および図４を参照して撮影代行人（カメラマン）３の登録およびリスト化について説明する。
応募したいカメラマン３は電話で画像提供システムに直接応募するか、またはシステム本体２のウエブサーバ５に設けられたカメラマン登録ページ５６に、名前、住所、E-mailアドレス、電話番号を記入して、撮影代行人の応募を行う。
【００２３】
画像提供システム２はこの応募を受けて、登録情報データベースを作成するために、上述したように、カメラマンの教育、説明、面接等を行って、最終的にカメラマンの登録を行ない、カメラマン登録情報データベースを作成し、全国規模で登録カメラマンのリストを作成する。登録カメラマンには会員証およびIDを発行する。
【００２４】
ユーザ１から被写体６の所望の画像の撮影依頼を受けると、画像提供システム本体２はユーザ１とコンタクトを取り、被写体６の場所または住所と納期とを確認し、カメラマン３のデータベースを検索し、撮影する被写体（建物、風景、各種イベント等）６の場所に一番近く、なおかつスケジュールの空いているカメラマン３を選定し、指定してユーザ１の注文および条件を伝える。
【００２５】
注文を受けたカメラマン３は被写体（物件）６の場所に出向き、必要に応じ、現場不動産担当者７の指示に従って被写体６を撮影する。現場カメラマン３は画像提供システム本体２にアクセスし、依頼された撮影画像データ４を、インターネットを介し、例えば、一般的なメールソフト（Outlookなど）を使用してシステム本体２の指定E-mailアドレス宛に写真データ４を添付して画像提供システム本体２に送る。画像提供システム本体２は受け取った画像にレイアウト、色・明るさなどの補正を施し、必要に応じ暗号化処理を行ってファイル転送プロトコル（FTP）に従って画像提供システムのウエブサーバ５のユーザ専用Boxに各物件毎に依頼された画像をアップロードするとともにユーザ１に連絡する。ユーザ（クライアント）１はウエブサーバ５からダウンロードして、所望の画像を受け取る。
【００２６】
ウエブサーバ５からのダウンロードは以下のようにして行う。画像提供システム本体２はウエブサーバ５に依頼された画像をアップロードすると同時に、このことをユーザ１に知らせ、必要に応じ解読（復号化）キーを送る。ユーザ１はウエブサーバ５のユーザログインページにアクセスし、登録ID を入力し、ユーザのE-mailアドレスを入力してユーザ専用ページを表示し、依頼した物件の所望の画像をダウンロードする。
【００２７】
また、撮影代行人３が、例えば、各種事故現場、災害風景や様々なトピックス等の社会的な事件や事象に遭遇し、独自の判断でこれを撮影した場合に、各種画像提供システム本体２にインターネットを介してその画像データ４を送ることもでき、この場合には、画像提供システム本発明の他の例では２は送られてきた電子画像４を主として、新聞社、雑誌、テレビ、インターネット媒体等のマスコミ媒体に紹介し、採用された場合の金額交渉を各マスコミ媒体に対して行ない、カメラマンの仲介を行ない、カメラマンの仲介者として管理・運営をも行うようにする。  
【００２８】
上述した例では、ユーザが不動産仲介業の場合について説明したが、ユーザとしては以下に示す種々のクライアントが存在する。
仮令えば、
１．出版社；旅行雑誌やガイドブックに掲載する写真、建造物の他、祭りやイベント等の写真を提供する。
２．テレビ・映画の製作会社；撮影場所の候補を絞り込むための証拠画像を提供する。
３．保険業者；地震や火事などの被害にあった建物、事故車両などの証拠画像を提供する。
４．銀行；財産としての土地・建物など、時価資産価値を確認するための画像資料を提供する。
５．弁護士；財産目録に伴う写真資料、裁判の証拠となり得る画像を提供する。但し、法廷での写真撮影は禁止されているので、この場合には、人物のデッサン画を得意とするイラストレータを撮影代行人として選定し、被告のデッサン画を作成し、これを写真に撮影し、上述したところと同様に画像提供システムのウエブサーバに送る。
６．老人介護者；老人ホームの入居者や病院の入院患者の様子、高齢者の独居生活の様子を撮った画像を家族や親類に提供する。
７．幼児および未成年保護者；保育施設・幼稚園・学校などでの子供の様子を撮った画像を保護者に提供する。
８．建設業者；建設予定地や建設現場、建造物の画像を提供する。
９．ネット販売業者；インターネットにおいて販売および／または購入したい品物を確認するための画像を提供する。
１０．父兄親戚縁者；学芸会、運動会など、各種イベントにおける子供の様子の画像を提供する。
１１．中古車売買業者；中古車の状態を確認するための画像を提供する。
【００２９】
上述したように、本発明によれば、撮影する物件に基本的に一番近いカメラマンに依頼することにより、納期の短縮化と交通費等の経費を削減することができる。
【図面の簡単な説明】
【００３０】
【図１】本発明画像提供システムの概略構成を示すブロック説明図である。
【図２】東京都のカメラマンの住所ファイリングコードの一例を示す説明図である。
【図３】図１の画像提供システムの構成を示す説明図である。
【図４】図３の画像提供システムの構成の詳細を示す説明図である。
【符号の説明】
【００３１】
１  ユーザ（クライアント）
２  画像提供システム本体
２１  経理部
２２  宣伝企画営業部
２３  システム管理部
３  撮影代行人（カメラマン）
４  画像データ
５  ウエブサーバ
５１  画像提供システムのホームページ
５２  ユーザ専用ページ
５６  カメラマン登録ページ
６  被写体（物件）
７  現地不動産担当者
【図１】
2006344078.tif 000003
【図２】
2006344078.tif 000004
【図３】
2006344078.tif 000005
【図４】
2006344078.tif 000006